(57)【要約】【課題】  シュートを通して袋体内に充填される粉粒体等が、袋体の開口部の内周面とシュートの外周面との間から飛散・放出されるのを防止すること。【解決手段】  袋体開口部の密閉接続具を、粉粒体等を放出するシュートの先端部に着脱自在に取り付け可能とした接続部と、同接続部に支持されてリング状に膨張・収縮自在となした膨張・収縮部と、同膨張・収縮部に空気を圧送・吸引して膨張・収縮部をリング状に膨張・収縮させる空気圧送・吸引部とを具備して、シュートの外周面部と、同外周面部の外方に配置する柔軟性のある袋体の開口部との間に膨張・収縮部を介在させると共に、膨張・収縮部をリング状に膨張させることにより、袋体の開口部に膨張・収縮部の外周面を内方から圧着させて、同開口部をシュートの外周面部に密閉状態に接続可能となした。【選択図】      図２
2005186987.tif 000002
【特許請求の範囲】
【請求項１】
粉粒体等を放出するシュートの先端部に着脱自在に取り付け可能とした接続部と、同接続部に支持されてリング状に膨張・収縮自在となした膨張・収縮部と、同膨張・収縮部に空気を圧送・吸引して膨張・収縮部をリング状に膨張・収縮させる空気圧送・吸引部とを具備して、
シュートの外周面部と、同外周面部の外方に配置する柔軟性のある袋体の開口部との間に膨張・収縮部を介在させると共に、膨張・収縮部をリング状に膨張させることにより、袋体の開口部に膨張・収縮部の外周面を内方から圧着させて、同開口部をシュートの外周面部に密閉状態に接続可能となしたことを特徴とする袋体開口部の密閉接続具。
【請求項２】
接続部は、シュートの先端部に嵌合して内外側重合状態に接続するリング状の接続体と、同接続体より下方へ延設して膨張・収縮部を支持するリング状の支持体とを具備し、
接続体に空気圧送・吸引部と接続する圧送・吸引部接続孔を形成する一方、支持体に膨張・収縮部と連通する連通孔を形成し、両孔を接続体と支持体の内方において連通路形成体を介して連通連結して、
圧送・吸引部から空気を圧送・吸引部接続孔→連通路形成体→連通孔→膨張・収縮部に圧送可能となして、同膨張・収縮部を半径方向に膨張させると共に、膨張・収縮部から空気を連通孔→連通路形成体→圧送・吸引部接続孔→圧送・吸引部に吸引可能となして、同膨張・収縮部を半径方向に収縮させるようにしたことを特徴とする請求項１記載の袋体開口部の密閉接続具。
【発明の詳細な説明】
【技術分野】
【０００１】
本発明は、袋体開口部の密閉接続具に関する。
【背景技術】
【０００２】
従来、粉粒体等を柔軟性のある袋体に充填する粉粒体等充填装置があり、同粉粒体等充填装置は、粉粒体等を収容したホッパーと、同ホッパーから垂設したシュートと、同シュートの外周面に袋体の開口部の内周面を押圧して接続状態を保持する保持手段とを具備している（例えば、特許文献１参照）。
【０００３】
そして、保持手段は、左右一対の押圧アーム作動用シリンダと、同押圧アーム作動用シリンダによりシュートの外周面に対して接離自在に回動する押圧アームと、各押圧アームの先端部に設けた押圧片とを具備している。
【０００４】
このようにして、シュートの外周面の外方に袋体の開口部を嵌合状態に配置し、同状態にて袋体の開口部を保持手段により押圧して、袋体の開口部の内周面をシュートの外周面に密着させることにより、ホッパーからシュートを通して袋体内に充填される粉粒体等が、袋体の開口部の内周面とシュートの外周面との間から飛散・放出されるのを防止している。
【特許文献１】特開平５−１６９２３号公報
【発明の開示】
【発明が解決しようとする課題】
【０００５】
ところが、上記した粉粒体等充填装置では、保持手段の配設空間を確保する必要性がある上に、同保持手段の製造コストが高いという不具合がある。
【０００６】
また、保持手段を具備しない既存の粉粒体等充填装置に、新たに保持手段を設けたい場合でも、保持手段の配設空間が確保されていなければ、同保持手段を設けることができないという不具合がある。
【課題を解決するための手段】
【０００７】
そこで、本発明では、粉粒体等を放出するシュートの先端部に着脱自在に取り付け可能とした接続部と、同接続部に支持されてリング状に膨張・収縮自在となした膨張・収縮部と、同膨張・収縮部に空気を圧送・吸引して膨張・収縮部をリング状に膨張・収縮させる空気圧送・吸引部とを具備して、シュートの外周面部と、同外周面部の外方に配置する柔軟性のある袋体の開口部との間に膨張・収縮部を介在させると共に、膨張・収縮部をリング状に膨張させることにより、袋体の開口部に膨張・収縮部の外周面を内方から圧着させて、同開口部をシュートの外周面部に密閉状態に接続可能となしたことを特徴とする袋体開口部の密閉接続具を提供するものである。
【０００８】
また、本発明において、接続部は、シュートの先端部に嵌合して内外側重合状態に接続するリング状の接続体と、同接続体より下方へ延設して膨張・収縮部を支持するリング状の支持体とを具備し、接続体に空気圧送・吸引部と接続する圧送・吸引部接続孔を形成する一方、支持体に膨張・収縮部と連通する連通孔を形成し、両孔を接続体と支持体の内方において連通路形成体を介して連通連結して、圧送・吸引部から空気を圧送・吸引部接続孔→連通路形成体→連通孔→膨張・収縮部に圧送可能となして、同膨張・収縮部を半径方向に膨張させると共に、膨張・収縮部から空気を連通孔→連通路形成体→圧送・吸引部接続孔→圧送・吸引部に吸引可能となして、同膨張・収縮部を半径方向に収縮させるようにしたことにも特徴を有する。
【発明の効果】
【０００９】
（１）請求項１記載の本発明では、袋体開口部の密閉接続具を、粉粒体等を放出するシュートの先端部に着脱自在に取り付け可能とした接続部と、同接続部に支持されてリング状に膨張・収縮自在となした膨張・収縮部と、同膨張・収縮部に空気を圧送・吸引して膨張・収縮部をリング状に膨張・収縮させる空気圧送・吸引部とを具備して、シュートの外周面部と、同外周面部の外方に配置する柔軟性のある袋体の開口部との間に膨張・収縮部を介在させると共に、膨張・収縮部をリング状に膨張させることにより、袋体の開口部に膨張・収縮部の外周面を内方から圧着させて、同開口部をシュートの外周面部に密閉状態に接続可能となしている。
【００１０】
このようにして、袋体開口部の密閉接続具を、シュートの先端部に着脱自在としているため、袋体開口部を密閉する手段を有しない既存の粉粒体等充填装置のシュートにも容易に取り付けることができて、同シュートを通して袋体内に充填される粉粒体等が、袋体の開口部の内周面とシュートの外周面との間から飛散・放出されるのを密閉接続具により防止することができる。
【００１１】
しかも、密閉接続具は、粉粒体等を放出するシュートの先端部に取り付けた接続部に、リング状に膨張・収縮自在となした膨張・収縮部を支持させて、同膨張・収縮部に空気圧送・吸引部から空気を圧送・吸引して膨張・収縮部をリング状に膨張・収縮させるようにしているため、軽量かつ構造簡易なものとなすことができて、シュートへ着脱作業を楽に行うことができると共に、密閉接続具自体のメンテナンス作業もシュートから取り外して楽に行うことができる。
【００１２】
さらには、シュートの外周面部と、同外周面部の外方に配置する柔軟性のある袋体の開口部との間に膨張・収縮部を介在させると共に、膨張・収縮部をリング状に膨張させることにより、袋体の開口部に膨張・収縮部の外周面を内方から圧着させて、同開口部をシュートの外周面部に密閉状態に接続可能となしているため、シュートを通して袋体内に充填される粉粒体等が、袋体の開口部の内周面とシュートの外周面との間から飛散・放出されるのを確実に防止することができる。
【００１３】
また、膨張・収縮部を収縮させるだけで、袋体の開口部をシュートから接続解除することができるため、同開口部のシュートへの接続・解除作業を迅速かつ確実に行うことができて、袋体への粉粒体等の充填作業能率を向上させることができる。
【００１４】
（２）請求項２記載の本発明では、接続部は、シュートの先端部に嵌合して内外側重合状態に接続するリング状の接続体と、同接続体より下方へ延設して膨張・収縮部を支持するリング状の支持体とを具備し、接続体に空気圧送・吸引部と接続する圧送・吸引部接続孔を形成する一方、支持体に膨張・収縮部と連通する連通孔を形成し、両孔を接続体と支持体の内方において連通路形成体を介して連通連結して、圧送・吸引部から空気を圧送・吸引部接続孔→連通路形成体→連通孔→膨張・収縮部に圧送可能となして、同膨張・収縮部を半径方向に膨張させると共に、膨張・収縮部から空気を連通孔→連通路形成体→圧送・吸引部接続孔→圧送・吸引部に吸引可能となして、同膨張・収縮部を半径方向に収縮させるようにしている。
【００１５】
このようにして、リング状の膨張・収縮部を半径方向に膨張・収縮させることができるため、シュートの外周面部に袋体の開口部の内周面部を接続・解除する作業を効率良く行うことができて、この点からも、袋体への粉粒体等の充填作業能率を向上させることができる。
【００１６】
この際、接続体に形成した圧送・吸引部接続孔と、支持体に形成した連通孔とを、接続体と支持体の内方において連通路形成体を介して連通連結しているため、空気の圧送・吸引を円滑かつ確実に行うことができると共に、袋体の開口部をシュートに接続・解除する際に、圧送・吸引部接続孔や連通路形成体が支障とならず、同開口部のシュートへの接続・解除作業をスムーズに行うことができる。
【発明を実施するための最良の形態】
【００１７】
図1は、本発明に係る密閉接続具Ａを取り付けた粉粒体等充填装置Ｂの正面図である。
【００１８】
ここで、まず、粉粒体等充填装置Ｂについて簡単に説明すると、同粉粒体等充填装置Ｂは、支持枠体１に粉粒体等供給部２を設け、同粉粒体等供給部２から粉粒体等を放出するシュート３を下方へ向けて延設する一方、支持枠体１に袋体支持機枠４を設け、同袋体支持機枠４に左右一対の吊り下げ紐体6,6を介して袋体５を吊り下げると共に、シュート３の外周面部に本発明に係る密閉接続具Ａを介して袋体５の開口部5aを密閉状態に接続している。７は係止片、８は開口部支持・案内レールである。
【００１９】
次に、本発明に係る密閉接続具Ａについて説明すると、同密閉接続具Ａは、図２〜図４に示すように、シュート３の先端部に着脱自在に取り付け可能とした接続部10と、同接続部10に支持されてリング状に膨張・収縮自在となした膨張・収縮部11と、同膨張・収縮部11に空気を圧送・吸引して膨張・収縮部11をリング状に膨張・収縮させる空気圧送・吸引部12とを具備している。
【００２０】
接続部10は、図２〜図４に示すように、シュート３の先端部に嵌合して内外側重合状態に接続するリング状の接続体13と、同接続体13より下方へ延設して膨張・収縮部11を支持するリング状の支持体14とを具備している。
【００２１】
そして、上記接続体13の前後部にそれぞれ空気圧送・吸引部12と接続する圧送・吸引部接続孔15,15を形成する一方、支持体14の前後部にそれぞれ膨張・収縮部11と連通する連通孔16,16を形成し、両孔15,15,16,16を接続体13と支持体14の内方において上下方向に伸延する連通路形成体17,17を介して連通連結している。
【００２２】
また、圧送・吸引部接続孔15,15には、外側方へ向けて突出するパイプ状の接続用突片18,18を連通連設している。19は、接続体13に形成した接続孔であり、同接続孔19を介してシュート３に接続体13を接続ボルト（図示せず）により、着脱自在に接続するようにしている。
【００２３】
膨張・収縮部11は、図２〜図４に示すように、弾性ゴム素材等により中空パイプの両端を接続したリング状の膨張・収縮体20を、前記支持体14の外周面に嵌合し、同膨張・収縮体20の外周面に膨張規制兼摩耗防止体21を巻回している。22は膨張・収縮体固定片、27,28は膨張・収縮体位置決め用リング体である。
【００２４】
ここで、支持体14の前後部にそれぞれ形成した連通孔16,16は、第１・第２連通連結孔23,23,24,24を介して上記膨張・収縮体20の内部に連通させている。
【００２５】
空気圧送・吸引部12は、図４に示すように、前記した前後一対の接続用突片18,18を連結パイプ25により連通連結し、同連通パイプ25に切替バルブ26を介して空気圧送用ポンプP1と空気吸引用ポンプP2とを連通連結している。
【００２６】
そして、切替バルブ26の切替操作により、膨張・収縮部11に空気を圧送することも、また、同膨張・収縮部11から空気を吸引することもできるようにしている。
【００２７】
すなわち、空気圧送・吸引部12の切替バルブ26を空気圧送側に切り替えることにより、空気圧送用ポンプP1から空気を切替バルブ26→連結パイプ25→接続用突片18,18→圧送・吸引部接続孔15,15→連通路形成体17,17→連通孔16,16→第１・第２連通連結孔23,23,24,24→膨張・収縮体20内に圧送可能となして、同膨張・収縮体20を半径方向に膨張させることができるようにしている。ａは空気圧送方向、(イ)は膨張・収縮体20の膨張状態を示している。
【００２８】
また、空気圧送・吸引部12の切替バルブ26を空気吸引側に切り替えることにより、空気吸引用ポンプP2により膨張・収縮体20内の空気を第２・第１連通連結孔24,24,23,23→連通孔16,16→連通路形成体17,17→圧送・吸引部接続孔15,15→接続用突片18,18→連結パイプ25→切替バルブ26→空気吸引用ポンプP2に吸引可能となして、同膨張・収縮体20を半径方向に収縮させるようにしている。ｂは空気吸引方向、(ロ)は膨張・収縮体20の収縮状態を示している。
【００２９】
本発明に係る密閉接続具Ａは、上記のように構成しているものであり、同密閉接続具Ａを使用する際には、シュート３の下端開口部3bの内方にリング状の接続体13を嵌入し、同状態にて、接続孔19を介してシュート３に接続体13を接続ボルト（図示せず）により着脱自在に接続する。
【００３０】
そして、袋体５の開口部5aを接続する際には、上記した密閉接続具Ａの膨張・収縮体20の外側方に袋体５の開口部5aを配置し、同状態にて、空気圧送用ポンプP1から膨張・収縮体20に空気を圧送することにより、同膨張・収縮体20をリング状に膨張させて、袋体５の開口部5aに膨張・収縮体20の外周面を内方から圧着させて、同開口部5aをシュート３の外周面部3aに密閉状態に接続する。続いて、粉粒体等を袋体５内に充填する。
【００３１】
また、その後に、袋体５の開口部5aを接続・解除する際には、空気吸引用ポンプP2により膨張・収縮体20内の空気を吸引することにより、同膨張・収縮体20を収縮させて、袋体５の開口部5aから膨張・収縮体20の外周面を内方へ離隔させて、同開口部5aをシュート３の外周面部3aの外側方にて開放状態となす。続いて、粉粒体等を充填した袋体５を所定の場所に移動させる。
【００３２】
このようにして、本発明に係る密閉接続具Ａにより、袋体５の開口部5aをシュート３の外周面部3aに密閉状態に接続することも、また、接続解除することもできる。
【図面の簡単な説明】
【００３３】
【図１】本発明に係る密閉接続具の使用状態説明図。
【図２】同密閉接続具の一部切欠正面図。
【図３】同密閉接続具の平面図。
【図４】図３のI-I線断面説明図。
【符号の説明】
【００３４】
Ａ  密閉接続具
Ｂ  粉粒体等充填装置
１  支持枠体
２  粉粒体等供給部
３  シュート
４  袋体支持機枠
５  袋体
６  吊り下げ紐体
７  係止片
【図１】
2005186987.tif 000003
【図２】
2005186987.tif 000004
【図３】
2005186987.tif 000005
【図４】
2005186987.tif 000006